(57)【要約】      （修正有）【課題】ワイヤ及び移動片を有するおもちゃにおいて、遊戯者の技量に依存して成否の定まる、興趣の高いおもちゃを提供する。【解決手段】おもちゃ１は、３次元空間内で曲線を形成する１又は２以上のワイヤ１０と、外枠３０と、閉曲線に対して切り込みが入った形状であり、切り込みの幅がワイヤ１０の最小径よりも大きな移動片２０とを備える。移動片２０をワイヤ１０に掛けた状態を保ちながら（ワイヤ１０から外さずに）、ワイヤ１０の１の箇所から他の箇所に移動させる遊戯を楽しむことができる。【選択図】図１
0003214250.tif 000002
【実用新案登録請求の範囲】
【請求項１】
３次元空間内で曲線を形成する１又は２以上のワイヤと、
前記ワイヤの両端を係止する外枠と、
閉曲線に対して切り込みが入った形状であり、前記切り込みの幅が前記ワイヤの最小径よりも大きな移動片とを備えることを特徴とする、おもちゃ。
【請求項２】
前記切り込みの幅が前記ワイヤの最大径よりも大きいことを特徴とする、請求項１に記載のおもちゃ。
【請求項３】
前記切り込みの幅が前記ワイヤの最大径よりも小さいことを特徴とする、請求項１に記載のおもちゃ。
【請求項４】
前記ワイヤは、均一な径を有することを特徴とする、請求項１に記載のおもちゃ。
【請求項５】
１のみの前記ワイヤを備えることを特徴とする、請求項１〜４のいずれか１項に記載のおもちゃ。
【請求項６】
前記ワイヤは、一端から他端に向けてグラデュアルに変化する色相に着色されていることを特徴とする、請求項５に記載のおもちゃ。
【請求項７】
２以上の前記ワイヤを備えることを特徴とする、請求項１〜４のいずれか１項に記載のおもちゃ。
【請求項８】
前記ワイヤは、均一な径を有し、
前記閉曲線の少なくとも１の方向の幅は前記ワイヤの径の２倍よりも大きいことを特徴とする、請求項７に記載のおもちゃ。
【請求項９】
前記移動片は、前記切り込みと該切り込みに対向する部分の間において、前記切り込みに寄った側にその重心を有することを特徴とする、請求項１〜８のいずれか１項に記載のおもちゃ。
【請求項１０】
前記移動片は、前記切り込みの両端に錘体を有することを特徴とする、請求項９に記載のおもちゃ。
【請求項１１】
前記外枠はその内部に閉空間を形成し、前記ワイヤ及び前記移動片を該閉空間に配することを特徴とする、請求項１〜１０のいずれか１項に記載のおもちゃ。
【請求項１２】
前記移動片は鉄製であり、
前記外枠は、前記移動片を磁着させるための磁石を備えることを特徴とする、請求項１〜１１のいずれか１項に記載のおもちゃ。
【考案の詳細な説明】
【技術分野】
【０００１】
本考案は、ワイヤ及び移動片を有するおもちゃに関する。
【背景技術】
【０００２】
従来、貫通孔が形成された複数の球をワイヤに通し、当該ワイヤの両端を平板に固定したおもちゃが存在する（例えば、非特許文献１参照）。このようなおもちゃは、遊戯者が平板を傾けた際に球がワイヤに沿って移動する様子を楽しむものである。
【先行技術文献】
【非特許文献】
【０００３】
【非特許文献１】「ジョイトーイ (Joy Toy) ルーピング ファニー JT1420」（https://www.amazon.co.jp/%E3%82%B8%E3%83%A7%E3%82%A4%E3%83%88%E3%83%BC%E3%82%A4-Joy-%E3%83%AB%E3%83%BC%E3%83%94%E3%83%B3%E3%82%B0-%E3%83%95%E3%82%A1%E3%83%8B%E3%83%BC-JT1420/dp/B0012DZCCU）
【考案の概要】
【考案が解決しようとする課題】
【０００４】
このようなおもちゃは、傾ける向きによって球の動きが決まってしまうため、どの遊戯者がおもちゃを傾けても球の動きは同じになり、遊戯としての面白みに乏しい。面白みを高めるために、球の数や色を増やしたり、ワイヤを乗物の形に模したりすることが行われている。
【０００５】
しかしながら、球の数や色を増やしたりワイヤの形状を工夫しても、遊戯者の技量によって球の動きが変化するわけではなく、やはり遊戯としての面白みに乏しい。
【０００６】
本考案は、ワイヤ及び移動片を有するおもちゃにおいて、遊戯者の技量に依存して成否の定まる、興趣の高いおもちゃを提供することを課題とする。
【課題を解決するための手段】
【０００７】
本考案のおもちゃは、
３次元空間内で曲線を形成する１又は２以上のワイヤと、
前記ワイヤの両端を係止する外枠と、
閉曲線に対して切り込みが入った形状であり、前記切り込みの幅が前記ワイヤの最小径よりも大きな移動片とを備えることを特徴とする。
【０００８】
この特徴によれば、遊戯者は、おもちゃの外枠を把持して動かし、移動片をワイヤに掛けた状態を保ちながら（ワイヤから外さずに）、ワイヤの１の箇所から他の箇所に移動させる遊戯を楽しむことができ、興趣を高めることができる。ここで、「ワイヤの最小径」は、ワイヤの径がワイヤ上の位置に依存して変動する時に、その最小の直径を言う。（以下、「ワイヤの最大径」についても同様。）
【０００９】
本考案のおもちゃは、
前記切り込みの幅が前記ワイヤの最大径よりも大きいことを特徴とする。
【００１０】
この特徴によれば、移動片はワイヤのどの位置においても切り込みが上方を向くとワイヤから外れるため、移動片をワイヤから外れないように移動させるには遊戯者の技量が必要となり、興趣を高めることができる。
【００１１】
本考案のおもちゃは、
前記切り込みの幅が前記ワイヤの最大径よりも小さいことを特徴とする。
【００１２】
この特徴によれば、ワイヤに移動片が外れる位置と外れない位置とが設けられているため、遊戯者はワイヤの径によって移動片を移動させる操作を変化させ、興趣を高めることができる。
【００１３】
本考案のおもちゃは、
前記ワイヤは、均一な径を有することを特徴とする。
【００１４】
この特徴によれば、移動片の外れやすさがワイヤの位置に依存しないので、遊戯者は移動片をワイヤから外さないことに集中して遊戯することができる。
【００１５】
本考案のおもちゃは、
１のみの前記ワイヤを備えることを特徴とする。
【００１６】
この特徴によれば、遊戯者は、おもちゃの外枠を把持して動かし、移動片を１のワイヤに掛けた状態を保ちながら、ワイヤの一端から他端に移動させる遊戯を楽しむことができ、興趣を高めることができる。
【００１７】
本考案のおもちゃは、
前記ワイヤは、一端から他端に向けてグラデュアルに変化する色相に着色されていることを特徴とする。
【００１８】
この特徴によれば、遊戯者はおもちゃを視覚的に楽しむことができる。また、移動片がワイヤから外れた場合に、どこで外れたか（ワイヤ全体のうちどれだけの割合を移動させたか）を容易に把握することができ、興趣を高めることができる。
【００１９】
本考案のおもちゃは、
２以上の前記ワイヤを備えることを特徴とする。
【００２０】
この特徴によれば、遊戯者は、おもちゃの外枠を把持して動かし、移動片をワイヤに掛けた状態を保ちながら、１のワイヤの１の箇所から他の箇所に移動させる遊戯に加えて、１のワイヤからもう１つのワイヤに移動させる遊戯をも楽しむことができ、興趣を高めることができる。
【００２１】
本考案のおもちゃは、
前記ワイヤは、均一な径を有し、
前記閉曲線の少なくとも１の方向の幅は前記ワイヤの径の２倍よりも大きいことを特徴とする。
【００２２】
この特徴によれば、移動片は２つのワイヤが接触する箇所を移動することが可能となり、遊戯者は移動片を１つのワイヤからもう１つのワイヤに移動させる遊戯を楽しむことで興趣を高めることができる。
【００２３】
本考案のおもちゃは、
前記移動片は、前記切り込みと該切り込みに対向する部分の間において、前記切り込みに寄った側にその重心を有することを特徴とする。
【００２４】
この特徴によれば、移動片が切り込みに寄った側にその重心を有することにより、ワイヤに掛けられた状態の移動片の切り込みは下方を向き易くなり、移動片はワイヤから外れ難くなる。このため、遊戯者は移動片をワイヤに掛けた状態を保って移動させ易くなる。
【００２５】
本考案のおもちゃは、
前記移動片は、前記切り込みの両端に錘体を有することを特徴とする。
【００２６】
この特徴によれば、移動片の切り込みの両端に錘体を設けることで、容易に切り込みに寄った側に移動片の重心をおくことができる。
【００２７】
本考案のおもちゃは、
前記外枠はその内部に閉空間を形成し、前記ワイヤ及び前記移動片を該閉空間に配することを特徴とする。
【００２８】
この特徴によれば、移動片が紛失したり、ワイヤが変形したりするのを防ぐことができる。
【００２９】
本考案のおもちゃは、
前記移動片は鉄製であり、
前記外枠は、前記移動片を磁着させるための磁石を備えることを特徴とする。
【００３０】
この特徴によれば、移動片を磁石に磁着させて保管することができる。
【考案の効果】
【００３１】
本考案によれば、遊戯者は、おもちゃの外枠を把持して動かし、移動片がワイヤに掛けられた状態を保ちながら、ワイヤの１の箇所から他の箇所に移動させる遊戯を楽しむことができ、遊戯者の技量に依存して成否が定まるので、興趣を高めることができる。
【図面の簡単な説明】
【００３２】
【図１】図１は、おもちゃの斜視図である。（実施例１）
【図２】図２は、おもちゃの遊戯方法を説明するための図である。（実施例１）
【図３】図３は、移動片の切り込みの幅とワイヤの径との関係を示す図である。（実施例１）
【図４】図４は、移動片の重心の位置を説明するための図である。（実施例１）
【図５】図５は、おもちゃの斜視図である。（実施例２）
【図６】図６は、移動片が２本のワイヤの間を移動する手順を説明するための図である。（実施例２）
【図７】図７は、移動片の幅とワイヤの径との関係を示す図である。（実施例２）
【図８】図８は、おもちゃの斜視図である。（実施例３）
【図９】図９は、移動片の切り込みの幅とワイヤの径との関係を示す図である。（実施例３）
【考案を実施するための形態】
【００３３】
以下、本考案の実施例を図面を参照して詳細に説明する。
【実施例１】
【００３４】
（おもちゃの構成）
図１は、おもちゃの斜視図である。おもちゃ１は、３次元空間内で曲線を形成し、均一な径を有する１本のワイヤ１０と、当該ワイヤ１０に掛けられた状態を保ちながら、当該ワイヤ１０の１の箇所から他の箇所に移動させる遊戯を行うために使用される移動片２０と、ワイヤ１０の両端を係止する外枠３０と、を備えている。
【００３５】
外枠３０は、透明な立法体形状の箱であり、その内部に閉空間３１が形成されている。当該閉空間３１には、ワイヤ１０及び移動片２０が配されている。ワイヤ１０の両端１０ａ及び１０ｂは外枠３０の底面に係止されている。移動片２０は外枠３０やワイヤ１０に固定されておらず、閉空間３１内を移動可能である。
【００３６】
移動片２０を外枠３０の閉空間３１内に配することで、移動片２０が紛失したり、幼児が移動片２０を誤飲したり、遊戯者が遊戯ルールに反して移動片２０を手で動かしたりするのを防止することができる。また、ワイヤ１０を外枠３０の閉空間３１内に配することで、ワイヤ１０に衝撃が加わる等によりワイヤ１０が変形したりワイヤ１０の両端が外枠３０から外れるのを防ぐことができる。
【００３７】
なお、外枠３０の形状は立方体に限らず、四角錐、円柱、球形等であってもよい。また、外枠３０は閉空間３１を有するものに限らず、例えば平板であってもよい。外枠３０を平板とした場合には、平板の一方の面にワイヤ１０の両端が係止されることとなる。
【００３８】
外枠３０の閉空間３１を構成しない時（例えば平板である時）には、移動片２０の紛失を防止する目的で、移動片２０を鉄製とし、それ磁着させるための磁石を外枠３０の外側に設けてもよい。なお、移動片２０の一部を鉄製としてもよいし、移動片２０を鉄粉を含む材質で形成してもよいし、後述のように移動片２０の切り込み２１の両端に錘体２３を設ける場合には錘体２３のみを鉄製としてもよい。移動片２０を磁石に磁着させておくことで、おもちゃ１を動かす時に紛失してしまうことがなくなる。
【００３９】
（遊戯方法）
図２は、おもちゃの遊戯方法を説明するための図である。図はワイヤ１０の一部のみを示したものである。おもちゃ１は、遊戯者が外枠３０を把持して傾斜させる、振動させる等の動きを与え、それによって、移動片２０をワイヤ１０に掛けた状態を保ちながら、ワイヤ１０の１の箇所から他の箇所に（例えば一端１０ａから他端１０ｂに）移動させる遊戯を楽しむためのものである。図２において破線矢印で示す方向に移動片２０を移動させることとなる。
【００４０】
ワイヤ１０が折曲しているので、移動片２０を移動させる方向が変化する。移動させるために移動元が上側に移動先が下側になるように外枠３０を把持して傾斜させるが、移動するに従って傾斜方向を替えなければならない。その際、移動片２０の切り込み２１が上側になってしまうと、移動片２０がワイヤ１０から外れてしまうこととなる。そうならないようにすることが、遊戯の目的となる。
【００４１】
（移動片に関する詳細）
図３は、移動片の切り込みの幅とワイヤの径との関係を示す図である。移動片２０は、閉曲線に対して切り込み２１が入った形状を有している。図３（Ａ）において、移動片２０の内周と切り込み２１（破線で示す）を合わせて閉曲線となっている。ここに、切り込み２１が設けられている。また、図３（Ｂ）のように、Ｕ字状の移動片２０としてもよい。
【００４２】
切り込み２１の幅Ｗは、ワイヤ１０の直径Ｒよりも大きく形成されている。したがって、ワイヤ１０に掛けられた状態の移動片２０は、切り込み２１が上方に動くと自重によってワイヤ１０から外れる可能性がある。このため、遊戯者は常に移動片２０がワイヤ１０から外れないように切り込み２１の向きを制御しながら移動片２０を移動させる技量が必要となり、興趣を高めることができる。
【００４３】
なお、移動片２０は閉曲線に対して切り込み２１が入った形状であればよく、例えば、Ｕ字型、Ｃ字型、コの字型、Ｍ字型等の形状であってもよい。
【００４４】
図４は、移動片の重心の位置を説明するための図である。図３に示した移動片２０は、全体が１材質であれば、図４（Ａ）に示すように、切り込み２１と当該切り込み２１に対向する対向部分２２との間において対向部分２２に寄った側にその重心Ｇを有する。切り込み２１において部材（重量）がない分、重心Ｇが対向部分２２の側に寄るためである。
【００４５】
対向部分２２がワイヤ１０に接する側であり、対向部分２２をワイヤ１０に掛けて移動片２０をワイヤ１０の下側に配した時に、重心Ｇが高い位置にあることとなる。すなわち、誤った傾斜や振動によって移動片２０がワイヤ１０から外れる可能性が高い。このことは、遊戯に困難性をもたらし、興趣を高めることができる。
【００４６】
一方、困難性が高すぎると、興趣を高めることができなくなってしまう。特におもちゃ１に不慣れな者は、移動片２０が直にワイヤ１０から外れて興趣をそがれてしまうことがある。このため、図４（Ｂ）に示すように、切り込み２１に寄った側に重心Ｇを有する設計が考えられる。
【００４７】
移動片を、不均一な材質で形成したり、太さを不均一にしたりして重心Ｇを切り込み２１に寄せることは可能である。それよりも容易な構成として、移動片２０が、図４（Ｃ）示すように切り込み２１の両端に錘体２３を有しているものが考えられる。なお、錐体２３のサイズによって切り込み２１の幅Ｗが相違するので、ねらいとする困難性に基づいて調整するとよい。
【実施例２】
【００４８】
本実施例は、２本以上のワイヤ１０を用いるものである。実施例１と同一の構成には同一の符号を付し、重複した説明を省略する。
【００４９】
（おもちゃの構成）
図５は、おもちゃの斜視図である。実施例１では、外枠３０内に１本のみのワイヤ１０を配したが、本実施例では、１本でなく、１０ｃ、１０ｄ、１０e、１０e’、１０ｆに分かれて別々のワイヤが配されている。
【００５０】
（遊戯方法）
実施例１においては、ワイヤ１０の一端１０ａから他端１０ｂに移動片２０を移動させる遊戯であったが、本実施例では、外枠３０の底面に係止されているのは１０ａの１箇所のみである。１０ａからチューリップの花形状の頂点１０ｂ’に移動させることが遊戯である。
【００５１】
遊戯者が外枠３０を把持して傾斜させる、振動させる等の動きを与え、それによって、移動片２０をワイヤ１０に掛けた状態を保ちながら、ワイヤ１０を移動させることは、実施例１と同様である。ここで、移動片２０を１のワイヤから他のワイヤに移動させる手順が問題となる。例えば、ワイヤ１０ｃを移動していた移動片２０を、ワイヤ１０ｃから外してワイヤ１０ｄを移動させるため手順である。ワイヤ１０ｃとワイヤ１０ｄとが接触部１０ｘにおいて接触しているので、ワイヤ１０ｃ上を移動する移動片２０は、接触部１０ｘに係止されてワイヤ１０ｄに移動できないようにも思われる。
【００５２】
図６は、移動片が２本のワイヤの間を移動する手順を説明するための図である。図６（Ａ）は、移動片２０がワイヤ１０ｃに掛けられた状態で、ワイヤ１０ｄとは離間して移動している状態を示す。ワイヤ１０ｃの長さ方向をＸ、ワイヤ１０ｃとワイヤ１０ｄを結ぶ方向をＹで示す。
【００５３】
図６（Ａ）に示す状態から、遊戯者は、外枠３０を回転傾ける等の操作を行うことにより、移動片２０をワイヤ１０ｃの回りに１８０度回転させる。移動片２０はワイヤ１０ｄに干渉されずに回転し、図６（Ｂ）に示す状態となる。
【００５４】
移動片２０をさらに移動させると、ワイヤ１０ｄが切り込み２１を通り、図６（Ｃ）に示す状態となる。
【００５５】
図６（Ｄ）は、移動片２０が接触部１０ｘまで移動した状態を示す。ここから、
遊戯者は、外枠３０を回転傾ける等の操作を行うことにより、移動片２０をワイヤ１０ｃ及び１０ｄの回りに１８０度回転させる。図６（Ｅ）に示す状態となり、移動片２０は、ワイヤ１０ｃからワイヤ１０ｄに移動する。
【００５６】
移動片２０をワイヤ１０ｄに掛けられた状態で移動させる。ワイヤ１０ｃが切り込み２１を通り、図６（Ｆ）に示す状態となる。移動片２０のワイヤ１０ｃからワイヤ１０ｄへの移動が完了する。
【００５７】
図７は、移動片の幅とワイヤの径との関係を示す図である。図６（Ｄ）に示す状態から図６（Ｅ）に示す状態まで移動片２０をワイヤ１０ｃ及び１０ｄの回りに１８０度回転させる状態を示すものである。移動片２０の閉曲線の幅（移動片２０の内面に対する内接円の直径）は、ワイヤ１０ｃ、１０ｄの直径Ｒの２倍よりも大きく形成されている。これにより、移動片２０は接触部１２において回転することが可能となる。
【００５８】
なお、ワイヤ１０ｃ、１０ｄの径が均一な径ではない場合、例えば、ワイヤ１０ｃの直径がＲ１でワイヤ１０ｄの直径がＲ２の場合に、移動片２０の閉曲線の幅をＲ１＋Ｒ２よりも大きく形成すればよい。
【００５９】
なお、移動片２０が２本のワイヤの間を移動する手順は、図６に示したものに限定されない。例えば、ワイヤ１０ｃとワイヤ１０ｄとの位置関係よっては、接触部１０ｘを回転中心として移動片２０を回転させることも考えられる。また、遊戯者の技量によっては、ワイヤ１０ｃから移動片２０を意図的に外して空中に飛ばし、ワイヤ１０ｄによって受け止めることも可能である。
【００６０】
（本実施例の特徴）
本実施例のおもちゃ１は、移動片２０をワイヤから外れないように移動させるほかに、２のワイヤ間を移動させる高度な技量を必要とする遊戯を楽しむことができ、興趣を高めることができる。
【実施例３】
【００６１】
本実施例は、径の変化するワイヤを用いるものである。実施例１と同一の構成には同一の符号を付し、重複した説明を省略する。
【００６２】
図８は、おもちゃの斜視図である。実施例１では、ワイヤ１０の径は均一であるとして説明したが、均一でなくてもよい。一例として、図８に示すように、細径部１０ｇと太径部１０ｈを有するものとする。細径部１０ｇと太径部１０ｈの２の径でなく、連続的に径を変化させたり、径が３以上あったりしてもよい。おもちゃ１に係る効果は同一なので、細径部１０ｇと太径部１０ｈの２の径により説明する。
【００６３】
図９は、移動片の切り込みの幅とワイヤの径との関係を示す図である。図９（Ａ）に示すように、ワイヤ１０の最小径Ｒminを移動片２０の切り込み２１の幅Ｗよりも小さく形成することで、移動片２０がワイヤ１０から外れる場所を設けることができる。また、図９（Ｂ）に示すように、ワイヤ１０の最大径Ｒmaxを移動片２０の切り込み２１の幅Ｗよりも大きく形成することで、移動片２０がワイヤ１０から外れない場所を設けることができる。本実施例では、細径部１０ｇの径がＲminであり、太径部１０ｈの径がＲmaxである。
【００６４】
移動片２０は、細径部１０ｇではワイヤから外れる可能性があり、太径部１０ｈではワイヤから外れる可能性がない。遊戯者は、細径部１０ｇでは移動片２０を移動させるために注意を払う必要があるが、太径部１０ｈでは移動片２０を移動させるために注意を払う必要がなく高速に移動させることができる。例えば移動に要する時間を競う遊戯では、太径部１０ｈについて移動片２０がワイヤから外れる可能性がないことを認識して短時間で移動させることが重要となる。
【００６５】
（本実施例の特徴）
本実施例のおもちゃ１は、移動片２０をワイヤから外れないように移動させるほかに、ワイヤの径の変化により短時間で移動させることに気づくことが優劣を定め、興趣を高めることができる。
【００６６】
また、太径部１０ｈの径Ｒmaxを移動片２０の切り込み２１の幅Ｗよりも小さくしてもよい。この場合には、移動片２０はワイヤ１０のどの位置においても、切り込み２１が上方を向くとワイヤ１０から外れることとなる。しかし、細径部１０ｇよりも太径部１０ｈのほうが移動片２０が外れる可能性が小さくなり、太径部１０ｈを短時間で移動させることができることは同様である。
【００６７】
以上のワイヤ１０の径の変化については、実施例２における各ワイヤ１０ｃ〜１０ｆについても適用可能である。
【実施例４】
【００６８】
本実施例は、ワイヤ１０の着色に係るものである。実施例１〜３のおもちゃ１に追加的に適用できる。
【００６９】
ワイヤ１０は、一端から他端に向けてグラデュアルに変化する色相に着色されている。例えば、実施例１において、一端１０ａが赤色に、他端１０ｂが黄色に着色され、その間が赤色から橙色に、そして橙色から黄色にグラデュアルに変化する色相に着色されている。
【００７０】
遊戯者はおもちゃ１を視覚的に楽しむことができる。また、移動片２０がワイヤから外れた場合に、どこで外れたか（ワイヤ１０のうちどれだけの割合を移動させたか）を容易に把握することができ、興趣を高めることができる。
【産業上の利用可能性】
【００７１】
本考案のおもちゃは、遊戯者が外枠を把持して動かし、移動片をワイヤに掛けた状態を保ちながらワイヤの１の箇所から他の箇所に移動させることを目的とする遊戯を行うのに好適なおもちゃであり、遊戯者の技量を必要とする興趣の高い遊戯であるため、年代を問わず利用することができる。
【符号の説明】
【００７２】
１    おもちゃ
１０  ワイヤ
２０  移動片
２１  切り込み
２２  対向部分
２３  錘体
３０  外枠
３１  閉空間
【図１】
0003214250.tif 000003
【図２】
0003214250.tif 000004
【図３】
0003214250.tif 000005
【図４】
0003214250.tif 000006
【図５】
0003214250.tif 000007
【図６】
0003214250.tif 000008
【図７】
0003214250.tif 000009
【図８】
0003214250.tif 000010
【図９】
0003214250.tif 000011